(57)【要約】      （修正有）【課題】簡単な構造でワークを保持することができ、コストを抑えることができる位置決めピン用の部材を提供する。【解決手段】ワークＷの位置決めのために治具本体５に設けられる位置決めピン４のための吸着保持部材１であって、ツバ本体２と、ツバ本体２の中央部に穿設され、位置決めピン４を挿通させる挿通孔２ａと、ツバ本体２に設けられた保持部に保持される永久磁石３とを備える。ツバ本体２を磁性体で構成し、永久磁石３を、ツバ本体２の一方の面で露出させ、他方の面はツバ本体２で覆い隠してもよい。【選択図】図２
0003166542.tif 000002
【実用新案登録請求の範囲】
【請求項１】
ワークの位置決めのために治具本体に設けられる位置決めピン用の吸着保持部材であって、
ツバ本体と、
ツバ本体の中央部に穿設され、位置決めピンを挿通させる挿通孔と、
ツバ本体に設けられた保持部に保持される永久磁石とを備えることを特徴とする吸着保持部材。
【請求項２】
請求項１記載の吸着保持部材において、
前記永久磁石は、前記ツバ本体の一方の面に露出し、他方の面は前記ツバ本体で覆われることを特徴とする吸着保持部材。
【請求項３】
請求項１又は請求項２記載の吸着保持部材において、
前記位置決めピンは前記治具本体との間で前記吸着保持部材を挟み込むように押さえ付けるための段部を備えるものであり、
前記永久磁石は、前記段部よりも外側に位置することを特徴とする吸着保持部材。
【請求項４】
請求項１から請求項３の何れか１項記載の吸着保持部材において、
前記永久磁石の前記ツバ本体から露出する面は、前記ツバ本体と面一とされることを特徴とする吸着保持部材。
【請求項５】
請求項１から請求項３の何れか１項記載の吸着保持部材において、
前記永久磁石の前記ツバ本体から露出する面は、前記ツバ本体の面よりも前記保持部の内方に位置することを特徴とする吸着保持部材。
【請求項６】
治具本体に固定される固定部と、
治具本体から突出しワークと嵌合する突出部と、
前記固定部と前記突出部との間に位置させて、前記突出部が突出する方向に直交する方向に張り出すツバ部と、
該ツバ部に設けられた保持部に保持される永久磁石とを備え、
前記固定部と前記突出部と前記ツバ部とが一体に構成されることを特徴とする吸着保持部材。
【考案の詳細な説明】
【技術分野】
【０００１】
本考案は、ワークの位置決め等に使用可能な吸着保持部材に関する。
【背景技術】
【０００２】
従来、治具本体に載置されるワークの位置決めのために用いられる部材として、治具本体に設けられる位置決めピンが知られている（例えば、特許文献１参照）。この位置決めピンには、治具本体とワークとの接触を回避すべくワークを受けるためのツバ部を備えるものも知られている。又、位置決めピンの中には、ワークをしっかりと保持するためにクランプ機構を備えるものも知られている（例えば、特許文献２参照）。
【先行技術文献】
【特許文献】
【０００３】
【特許文献１】特開平５−２３７６９７号公報
【特許文献２】特開２００９−９０４３６号公報
【考案の概要】
【考案が解決しようとする課題】
【０００４】
クランプ機構を備える位置決めピンは、ワークをしっかりと保持することが可能であるが、ワークを貫通するようにして位置決めピンを反対側まで突出させてクランプする必要があり、ワークの種類によっては貫通孔を設けることができずに、又は、ワークの反対側まで、位置決めピンを突出させることができずに、クランプできない場合がある。
【０００５】
又、クランプ機構の構造が複雑であるため、位置決めピンのコストが比較的高くなってしまう。
【０００６】
本考案は、以上の点に鑑み、簡単な構造でワークを保持することができ、コストを抑えることができる部材を提供することを目的とする。
【課題を解決するための手段】
【０００７】
［１］上記目的を達成するため、本考案は、ワークの位置決めのために治具本体に設けられる位置決めピン用の吸着保持部材であって、ツバ本体と、ツバ本体の中央部に穿設され、位置決めピンを挿通させる挿通孔と、ツバ本体に設けられた保持部に保持される永久磁石とを備えることを特徴とする。
【０００８】
本考案によれば、ワークが磁性体であれば永久磁石の磁力でワークを吸着することができ、簡単な構造で容易にワークを治具本体上に保持することができ、クランプ機構を設けた場合に比し、コストを抑えることができる。又、永久磁石でワークを吸着させるだけであるため、クランプ機構のように位置決めピンがワークの反対側に突き出る必要がない。このため、ワークの反対側に位置決めピンが突出できるスーぺスがないような場合においてもワークを適切に治具本体上に保持させることができる。
【０００９】
又、本考案の吸着保持部材は、位置決めピンとは別体に構成されているため、従来の大径の突出部と小径の固定部とを備えるツバ無し型の位置決めピンの固定部を、本考案の吸着保持部材の挿通孔に通して、突出部と固定部との径の差で生じる段部で、吸着保持部材を治具本体との間に挟み込むようにして取り付けることができる。従って、新たな位置決めピンを設計することなく従来の位置決めピンを利用して、新たに吸着保持部材のみを設計すれば、ツバ付き型の位置決めピンとすることができ、製造コストを更に抑えることができる。
【００１０】
［２］本考案の吸着保持部材においては、永久磁石を、ツバ本体の一方の面で露出させ、他方の面はツバ本体で覆うことが好ましい。これによれば、永久磁石が露出する側の面をワーク側に配置する場合と、反対側の治具本体側に配置する場合とで、ワークに働く磁力の強弱が変化する。従って、電磁石を用いることなく簡単な構造で、ワークの種類等に応じて、吸着保持部材を裏返して取り付けるだけで、磁力の強弱を容易に切り換えることができる。
【００１１】
［３］本考案の吸着保持部材を、位置決めピンに設けられた段部と、治具本体との間で挟み込んで固定する場合、永久磁石を、位置決めピンの段部よりも外側に位置させてツバ本体に設けることが好ましい。これによれば、永久磁石と位置決めピンとが直接接触することを防止でき、位置決めピンに加わった外力が永久磁石に直接伝達させることによる永久磁石の破損や摩耗を防止することができる。
【００１２】
［４］本考案の吸着保持部材においては、永久磁石のツバ本体から露出する面を、ツバ本体と面一としてもよい。これによれば、永久磁石の露出面がツバ本体の保持部内に沈み込むことにより発生する凹部にゴミ等が溜まることを防止することができる。
【００１３】
［５］本考案の吸着保持部材においては、永久磁石のツバ本体から露出する面を、ツバ本体の面よりも保持部の内容に位置させてもよい。これによれば、ワーク等が永久磁石に直接接触し難くなり、永久磁石の破損及び摩耗を抑制することができる。
【００１４】
［６］以上においては、位置決めピンとは別体の吸着保持部材に永久磁石を設けたものについて説明したが、本考案の吸着保持部材は、ツバ部を有する位置決めピンであって、ツバ部に永久磁石を設け、固定部と突出部とツバ部とが一体に構成されるものであってもよい。これによっても、従来品のようにクランプ機構を設けることなく、ワークを簡単な構造で容易に治具本体上で保持することができる。
【図面の簡単な説明】
【００１５】
【図１】本考案の吸着保持部材の実施形態を示す斜視図。
【図２】実施形態の吸着保持部材の使用状態を示す説明図。
【考案を実施するための形態】
【００１６】
図１に示すように、本考案の実施形態の吸着保持部材１は、炭素鋼製円盤状のツバ本体２を備える。尚、ツバ本体２の材質は炭素鋼に限らない。ツバ本体２の中央部には、挿通孔２ａが穿設されている。又、ツバ本体２の上面には、挿通孔２ａを中心にして周方向に等間隔で穿設された有底の穴からなる保持部２ｂが４つ形成されている。各保持部２ｂには、ネオジム磁石からなる円柱状の永久磁石３が夫々挿入されて接着等により固定・保持されている。
【００１７】
本実施形態の吸着保持部材１の上面は、永久磁石３が取り付けられた後、研磨することにより、ツバ本体２と永久磁石３とが面一とされている。これにより、永久磁石３の露出面（上面）が保持部２ｂ内に沈み込むことにより発生する凹部（永久磁石３上）に、ゴミが溜まることを防止できる。
【００１８】
尚、ツバ本体２と永久磁石３とは必ずしも面一とする必要はなく、永久磁石３の露出面が保持部２ｂ内に若干沈み込むように構成してもよい。これによれば、永久磁石３にワーク等が直接接触し難くなり、永久磁石３の破損や摩耗を抑制することができる。又、永久磁石３はネオジム磁石に限らない。又、永久磁石３は、４つに限らず、３つ以下であってもよく、逆に５つ以上であってもよい。
【００１９】
次に、図２を参照して、本実施形態の吸着保持部材１の使用状態を説明する。吸着保持部材１は、位置決めピン４と組み合わせて用いられる。位置決めピン４は、大径円柱状の突出部４ａと、突出部４ａの下端から下方に延びる小径円柱状の固定部４ｂとで構成される。突出部４ａの下端には、固定部４ｂと径が異なることにより段部４ｃが形成される。又、固定部４ｂの外周にはネジが形成されている。又、突出部４ａの先端部は、テーパー状に形成されている。
【００２０】
位置決めピン４は、その固定部４ｂを吸着保持部材１の挿通孔２ａに挿通させて、治具本体５の貫通孔５ａを通し、治具本体５の貫通孔５ａから下方に突出させる。そして、治具本体５の下方に突出した固定部４ｂの部分にナット６を螺合させて締め付けることにより、吸着保持部材１が位置決めピン４の段部４ｃと治具本体５の上面とに挟み付けられて、位置決めピン４と吸着保持部材１とが治具本体５に固定される。
【００２１】
ワークＷを治具本体５上に配置する場合には、ワークＷの貫通孔Ｗａに位置決めピン４の突出部４ａを挿通させる。突出部４ａの先端部はテーパー状となっているため、ワークＷの貫通孔Ｗａに位置決めピン４の突出部４ａを容易に挿通させることができる。
【００２２】
ワークＷは吸着保持部材１上に載置される。これにより、ワークＷが治具本体５と直接接触することを防止し、ワークＷに傷がつくことを抑制できる。
【００２３】
本実施形態の吸着保持部材１によれば、磁性体のワークＷを永久磁石３の磁力で吸着することができ、簡単な構造で容易にワークＷを治具本体５上に保持することができ、従来品のようにクランプ機構を設けた場合に比し、コストを抑えることができる。又、永久磁石３でワークＷを吸着させるだけであるため、従来品のクランプ機構のように位置決めピンがワークＷの反対側（図２では上面側）に突き出す必要がない。このため、ワークＷの反対側に位置決めピンが突出できるスーぺスがないような場合においてもワークＷを適切に治具本体５上に保持させることができる。
【００２４】
又、本実施形態の吸着保持部材１は、位置決めピン４とは別体に構成されているため、従来の大径の突出部４ａと小径の固定部４ｂとを備えるツバ無し型の位置決めピン４の固定部４ｂを、吸着保持部材１の挿通孔２ａに通して、突出部４ａと固定部４ｂとの径の差で生じる段部４ｃで、吸着保持部材１を治具本体５との間に挟み込むようにして取り付けることができる。従って、新たな位置決めピンを設計することなく従来の位置決めピン４を利用して、新たに吸着保持部材のみを設計すれば、ツバ付き型の位置決めピンとすることができ、製造コストを更に抑えることができる。
【００２５】
又、本実施形態の吸着保持部材１は、ツバ本体２を磁性体としての炭素鋼で成形し、永久磁石３を、ツバ本体２の一方の面としての上面でのみ露出させ、他方の面としての下面ではツバ本体２で覆われている。これにより、永久磁石が露出する側の面（図２の上面）を、ワークＷ側に配置する場合と、吸着保持部材１を裏返して、反対側の治具本体側に配置する場合とで、ワークＷに働く永久磁石３の磁力の強弱が変化する。従って、ワークＷの種類等に応じて、吸着保持部材１を裏返して治具本体５に取り付けるだけで、永久磁石３のワークＷに作用する磁力の強弱を切り換えることができる。
【００２６】
又、本実施形態の吸着保持部材１は、永久磁石３を、位置決めピン４の突出部４ａの外周面よりも外側に位置させてツバ本体２に設けている。これによれば、永久磁石３と位置決めピン４とが直接接触することを防止でき、位置決めピン４に加わった外力が永久磁石３に直接伝達させることによる永久磁石３の破損や摩耗を防止することができる。
【００２７】
尚、本実施形態においては、位置決めピン４とは別体の吸着保持部材１に永久磁石３を設けたものについて説明したが、位置決めピン４と吸着保持部材１とが一体のものであってもよく、これによれば、従来品のクランプ機構を設けることなく、ワークＷを簡単に治具本体５上に保持することができるという本考案の作用効果を得ることができる。
【００２８】
又、本実施形態においては、治具本体５上にワークＷを吸着保持する吸着保持部材１を説明したが、本考案の吸着保持部材１の使用形態はこれに限られるものではなく、他の種々の用途に用いることができる。
【符号の説明】
【００２９】
１…吸着保持部材、２…ツバ本体、２ａ…挿通孔、２ｂ…保持部、３…永久磁石、４…位置決めピン、４ａ…突出部、４ｂ…固定部、４ｃ…段部、５…治具本体、５ａ…貫通孔、６…ナット、Ｗ…ワーク、Ｗａ…貫通孔。
【図１】
0003166542.tif 000003
【図２】
0003166542.tif 000004